(57)【要約】【課題】簡単な構成で、より豪華な装飾が可能となり、兜飾りセットの外観上の体裁が更に良くなり、兜飾りセットに最適な装飾金具を提供する。【解決手段】兜１と櫃４とを備えた兜飾りセットに於いて、兜１の鉢２や兜１の吹返し３や櫃４等の適宜表面に固着する装飾金具５であって、この装飾金具５は、形象部７と、この形象部７の周囲に配する背景部８とで形成した適宜薄板状の基板６を有し、形象部７は、金剛力士や風神・雷神等を模して形成すると共に、その表面がわに突出するように打ち出して形成し、背景部８は、多数の透孔９を密状態に配して形成し、この多数の透孔９を介して基板６後方が透かして視認できるように構成する。【選択図】図１
0003139884.tif 000002
【実用新案登録請求の範囲】
【請求項１】
兜と櫃とを備えた兜飾りセットに於いて、兜の鉢や兜の吹返しや櫃等の適宜表面に固着される装飾金具であって、この装飾金具は、形象部と、この形象部の周囲に配される背景部とが形成される適宜薄板状の基板を有し、形象部は、金剛力士や風神・雷神等を模して形成されると共に、その表面がわに突出するように打ち出して形成され、背景部は、多数の透孔を密状態に配して形成され、この多数の透孔を介して基板後方が透かして視認できるように構成したことを特徴とする兜飾りセットに於ける装飾金具。
【請求項２】
兜と櫃とを備えた兜飾りセットに於いて、兜の鉢や兜の吹返しや櫃等の適宜表面に固着される装飾金具であって、この装飾金具は、適宜薄板状の基板と、この基板の後ろがわに隙間空間を介して配される後方板とからなり、基板は、形象部と、この形象部の周囲に配される背景部とが形成され、形象部は、金剛力士や風神・雷神等を模して形成されると共に、その表面がわに突出するように打ち出して形成され、背景部は、多数の透孔を密状態に配して形成され、この多数の透孔を介して基板後方の後方板が透かして視認できるように構成したことを特徴とする兜飾りセットに於ける装飾金具。
【考案の詳細な説明】
【技術分野】
【０００１】
本考案は、五月の節句のときに飾られる兜と、この兜を載せる台として使用されたり或いは兜を収納するケースとして使用される櫃とを備えた兜飾りセットに於いて、兜の鉢や兜の吹返しや櫃等の適宜表面に固着して、より豪華な装飾が可能となるようにし、兜飾りセットの外観上の体裁が更に良くなるように工夫した兜飾りセットに於ける装飾金具に関するものである。
【背景技術】
【０００２】
従来、この種の兜飾りセットにあっては、例えば、特許文献１に示すような室内飾り兜のように、兜の吹返し表面に菊（或いは牡丹）の花等を模した飾りが設けられたものが数多く提供されている。
また、特許文献２に示すような兜飾りの櫃にあっては、その隅部に止金具を固定して装飾されている。
【０００３】
【特許文献１】特開２００１−２８６６８４号公報（図１参照）
【特許文献２】実開平６−３３９４号公報（図１参照）
【考案の開示】
【考案が解決しようとする課題】
【０００４】
そこで、本願考案者は、前述の如き従来の兜飾りセットの装飾金具等に満足することなく、簡単な構成で、より豪華な装飾が可能となり、兜飾りセットの外観上の体裁が更に良くなるような装飾金具を提供できるようにすべく、その研究・開発を進めていたものである。
【課題を解決するための手段】
【０００５】
しかして、前述のような課題を達成できるようにすべく、請求項１記載の兜飾りセットに於ける装飾金具にあっては、兜１と櫃４とを備えた兜飾りセットに於いて、兜１の鉢２や兜１の吹返し３や櫃４等の適宜表面に固着される装飾金具５であって、この装飾金具５は、形象部７と、この形象部７の周囲に配される背景部８とが形成される適宜薄板状の基板６を有し、形象部７は、金剛力士や風神・雷神等を模して形成されると共に、その表面がわに突出するように打ち出して形成され、背景部８は、多数の透孔９を密状態に配して形成され、この多数の透孔９を介して基板６後方が透かして視認できるように構成する手段を採用した。
【０００６】
また、請求項２記載の兜飾りセットに於ける装飾金具にあっては、兜１と櫃４とを備えた兜飾りセットに於いて、兜１の鉢２や兜１の吹返し３や櫃４等の適宜表面に固着される装飾金具５であって、この装飾金具５は、適宜薄板状の基板６と、この基板６の後ろがわに隙間空間１１を介して配される後方板１０とからなり、基板６は、形象部７と、この形象部７の周囲に配される背景部８とが形成され、形象部７は、金剛力士や風神・雷神等を模して形成されると共に、その表面がわに突出するように打ち出して形成され、背景部８は、多数の透孔９を密状態に配して形成され、この多数の透孔９を介して基板６後方の後方板１０が透かして視認できるように構成する手段を採用した。
【考案の効果】
【０００７】
従って、請求項１記載の兜飾りセットに於ける装飾金具によれば、簡単な構成で、より豪華な装飾が可能となり、兜飾りセットの外観上の体裁が更に良くなり、兜飾りセットに最適な装飾金具５となる。
【０００８】
特に、装飾金具５は、形象部７と、この形象部７の周囲に配される背景部８とが形成される適宜薄板状の基板６を有し、形象部７は、金剛力士や風神・雷神等を模して形成されると共に、その表面がわに突出するように打ち出して形成され、背景部８は、多数の透孔９を密状態に配して形成され、この多数の透孔９を介して基板６後方が透かして視認できるように構成したので、背景部８の表面より形象部７が表面がわに突出するようになると共に、透孔９を介して背景部８の後方が透けて視認できるようになるため、形象部７自体がより立体的に視認できるようになり、より豪華な装飾金具５となる。
しかも、形象部７は、金剛力士や風神・雷神等を模して形成されるので、節句を祝う子供を守護する印象を与えられるようになり、兜飾りセットに最適な装飾金具５となる。
【０００９】
また、請求項２記載の兜飾りセットに於ける装飾金具によれば、簡単な構成で、より豪華な装飾が可能となり、兜飾りセットの外観上の体裁が更に良くなり、兜飾りセットに最適な装飾金具５となる。
【００１０】
特に、装飾金具５は、適宜薄板状の基板６と、この基板６の後ろがわに隙間空間１１を介して配される後方板１０とからなり、基板６は、形象部７と、この形象部７の周囲に配される背景部８とが形成され、形象部７は、金剛力士や風神・雷神等を模して形成されると共に、その表面がわに突出するように打ち出して形成され、背景部８は、多数の透孔９を密状態に配して形成され、この多数の透孔９を介して基板６後方の後方板１０が透かして視認できるように構成したので、背景部８の表面より形象部７が表面がわに突出するようになると共に、透孔９を介して背景部８の後方の後方板１０が透けて視認できるようになるため、形象部７自体がより立体的に視認できるようになり、より豪華な装飾金具５となる。
加えて、透孔９を介して背景部８の後方に透けて視認できる後方板１０は、更に隙間空間１１を介して視認されるため、背景部８部分に深みが増し、装飾金具５全体がより立体的で、豪華な雰囲気を醸し出せるようになる。
しかも、形象部７は、金剛力士や風神・雷神等を模して形成されるので、節句を祝う子供を守護する印象を与えられるようになり、兜飾りセットに最適な装飾金具５となる。
【考案を実施するための最良の形態】
【００１１】
以下、本考案を図示例に基づいて説明すると、次の通りである。
本考案の装飾金具５は、図１に示すように、五月の節句のときに飾られる兜１と、この兜１を載せる台として使用されたり或いは兜１を収納するケースとして使用される櫃４とを備えた兜飾りセットに設けられるものである。
そして、兜１の鉢２や兜１の吹返し３や櫃４等の適宜表面に固着されて、より豪華な装飾が可能となり、外観上の体裁が更に良くなるように構成したものである。
具体的には、本考案の装飾金具５は、形象部７と、この形象部７の周囲に配される背景部８とが形成される適宜薄板状の基板６を有するものである。
更に、形象部７は、金剛力士や風神・雷神等を模して形成されると共に、その表面がわに突出するように打ち出して形成され、しかも、背景部８は、多数の透孔９を密状態に配して形成され、この多数の透孔９を介して基板６後方を透かした状態で視認できるように構成されている。
また、本考案の他の装飾金具５は、適宜薄板状の基板６と、この基板６の後ろがわに隙間空間１１を介して配される後方板１０とからなり、基板６は、形象部７と、この形象部７の周囲に配される背景部８とが形成される。
そして、形象部７は、金剛力士や風神・雷神等を模して形成されると共に、その表面がわに突出するように打ち出して形成され、しかも、背景部８は、多数の透孔９を密状態に配して形成され、この多数の透孔９を介して基板６後方の後方板１０を透かした状態で視認できるように構成されている。
【実施例】
【００１２】
前記基板６は、例えば、比較的薄く形成された適宜金属板によって構成され、その形状、寸法は、兜１の鉢２や、吹返し３や、櫃４の形状、寸法等に応じて適宜設定される。
具体的には、兜１の吹返し３や鉢２に固着されるものは略矩形状に形成されており、櫃４の左右下隅部分に固着されるものは略三角形状に形成されている。
【００１３】
尚、基板６は、その表面をメッキ処理等によって綺麗に形成したものでも良いし、適宜着色したものであっても良い。
【００１４】
前記形象部７は、例えば、金剛力士（阿形の仁王や吽形の仁王）或いは風神・雷神等を模して形成されると共に、これらの金剛力士（阿形の仁王や吽形の仁王）或いは風神・雷神等は、左右の吹返し３や、櫃４の左右下隅部分や、鉢２の左右部分に対峙するように配される。
しかも、形象部７は、表面がわに突出するように裏面がわから打ち出して形成され、立体的で豪華なものとなるように構成されている。
【００１５】
前記背景部８は、例えば、形象部７を中心としてその周囲（或いは、周囲の一部）を囲うように形成されている。
【００１６】
前記透孔９は、例えば、背景部８に多数密状態で穿設されている。すなわち、透孔９を介して基板６の背景部８後方を綺麗に透かした状態で視認できるように形成されている。
尚、透孔９自体は、その形状、寸法が揃えられてなくても良いし、規則的に配設されたものでなくても良い。
【００１７】
前記後方板１０は、例えば、比較的薄く形成された適宜金属板（或いは、その他の適宜材料でも良い）によって構成され、基板６裏面に適宜寸法の隙間空間１１を隔てた状態で重ねられるように形成される。
尚、後方板１０は、基板６と同色のものを利用しても良いし、異なる彩色を施して、より華やかに視認できるように形成したものであっても良い。
また、後方板１０（及び基板６）は、接着手段によって吹返し３や鉢２や櫃４に固着しても良いし、或いは釘着手段を採用しても良い。
【００１８】
ところで、装飾金具５の具体的構成、形状、寸法、材質、基板６の具体的構成、形状、寸法、材質、形象部７の具体的構成、形状、寸法、配設位置、背景部８の具体的構成、形状、寸法、透孔９の具体的構成、形状、寸法、数、配設位置、後方板１０の具体的構成、形状、寸法、材質、隙間空間１１の具体的寸法等は図示例のもの等に限定されることなく適宜自由に設定、変更できるものである。
【図面の簡単な説明】
【００１９】
【図１】本考案の装飾金具の使用例を示す兜飾りセットの正面図である。
【図２】本考案の装飾金具の一部を例示する正面図である。
【図３】本考案の装飾金具の一部を例示する断面図である。
【符号の説明】
【００２０】
１      兜
２      鉢
３      吹返し
４      櫃
５      装飾金具
６      基板
７      形象部
８      背景部
９      透孔
１０    後方板
１１    隙間空間
【図１】
0003139884.tif 000003
【図２】
0003139884.tif 000004
【図３】
0003139884.tif 000005